(57)【要約】【課題】この発明は、対象となる計測ユニットの計測装置の詳細情報を確認することができる盤用機器の情報表示システムを提供するものである。【解決手段】複数配列され、負荷名板と計測装置とから構成されるとともに無線通信部を有する計測ユニットと、端末表示部と端末操作部を有すると共に端末無線通信部を有する無線通信端末手段とを備え、対象とする前記計測装置を前記無線通信端末手段の前記端末無線通信部から前記計測装置の前記無線通信部に無線通信し前記計測装置の情報を前記無線通信端末手段の前記端末表示部に表示するものである。【選択図】図２
2015232798.tif 000002
【特許請求の範囲】
【請求項１】
複数配列され、負荷名板と計測装置とから構成されるとともに無線通信部を有する計測ユニットと、端末表示部と端末操作部を有すると共に端末無線通信部を有する無線通信端末手段とを備え、対象とする前記計測装置を前記無線通信端末手段の前記端末無線通信部から前記計測装置の前記無線通信部に無線通信し前記計測装置の情報を前記無線通信端末手段の前記端末表示部に表示することを特徴とする盤用機器の情報表示システム。
【請求項２】
前記無線通信端末手段は、前記計測装置の前記負荷名板の名称を前記計測装置の前記無線通信部に無線通信し、前記計測装置を特定することを特徴とする請求項１に記載の盤用機器の情報表示システム。
【請求項３】
前記無線通信端末手段は、前記負荷名板を撮像する撮像手段を備え、前記撮像手段の撮像データを前記計測装置の前記無線通信部に無線通信し、前記計測装置を特定することを特徴とする請求項１に記載の盤用機器の情報表示システム。
【請求項４】
前記計測ユニットに前記負荷名板を特定する情報コードを設け、前記無線通信端末手段は、前記計測ユニットの前記情報コードのデータを前記計測装置の前記無線通信部に無線通信し、前記計測装置を特定することを特徴とする請求項１に記載の盤用機器の情報表示システム。
【請求項５】
前記計測装置に前記計測装置を特定するＲＦタグを設け、前記無線通信端末手段は、前記計測装置の前記ＲＦタグを前記計測装置の前記無線通信部に無線通信することを特徴とする請求項１または請求項２に記載の盤用機器の情報表示システム。
【請求項６】
複数配列され、負荷名板と計測装置とから構成されるとともに無線通信部を有する計測ユニットと、端末表示部と端末操作部を有すると共に端末無線通信部を有する無線通信端末手段と、前記計測装置に設けられた操作ボタンとを備え、対象とする前記計測装置の前記操作ボタンの指令により前記計測装置の情報を前記計測装置の前記無線通信部から前記無線通信端末手段の前記端末無線通信部に無線通信し前記無線通信端末手段の前記端末表示部に表示することを特徴とする盤用機器の情報表示システム。
【発明の詳細な説明】
【技術分野】
【０００１】
この発明は、例えば電動機等の運転制御を行う計測装置を複数段かつ複数列配置された列盤を電気室に複数配置されたコントロールセンタにおいて、点検対象の計測装置の情報を表示する盤用機器の情報表示システムに関するものである。
【背景技術】
【０００２】
大規模なコントロールセンタの場合、電気室に配置されるコントロールセンタの列数が多く、負荷名板と計測装置とから構成される計測ユニットが例えば６段程度でユニット化されて1つの盤となり、そして例えば５列で並んで一つの列盤が構成され、これら列盤が
複数配列されている。
【０００３】
電気室にこれら列盤が複数配列されたコントロールセンタにおいて、保守員は毎日、各計測ユニットに配置された各計測装置の計測値や運転状態に異常がないことを順次巡回しながら確認している。
【０００４】
各計測ユニットには負荷の名称が記載された負荷名板が貼られおり、保守員は各計測ユニットの負荷が何かは負荷名板から確認できる。しかし、点検対象の計測装置がどこの何の負荷（設備）用なのか個々に詳細を確認するには、その都度、図面等の資料を参照するしかない。
【先行技術文献】
【特許文献】
【０００５】
【特許文献１】特開平５−３００６１３号公報
【発明の概要】
【発明が解決しようとする課題】
【０００６】
上述した従来の盤用機器の情報表示システムとしては、点検対象の計測装置がどこの何の負荷（設備）用なのか個々に詳細を確認するには、その都度、図面等の資料を参照するしかないので、図面を読み取る読解力も必要となり確認に時間を要し保守作業の負担となっており、保守作業に時間を要し保守費用がコスト高となる問題があった。また、点検時に異常を検出した計測装置がどこの何の設備用かを直ちに確認ができないという問題があった。
【０００７】
この発明は、上記のような課題を解決するためになされたものであり、その目的は、対象となる計測ユニットの計測装置の詳細情報を確認することができる盤用機器の情報表示システムを提供するものである。
【課題を解決するための手段】
【０００８】
この発明に係わる盤用機器の情報表示システムは、複数配列され、負荷名板と計測装置とから構成されるとともに無線通信部を有する計測ユニットと、端末表示部と端末操作部を有すると共に端末無線通信部を有する無線通信端末手段とを備え、対象とする前記計測装置を前記無線通信端末手段の前記端末無線通信部から前記計測装置の前記無線通信部に無線通信し前記計測装置の情報を前記無線通信端末手段の前記端末表示部に表示するものである。
【０００９】
また、この発明に係わる盤用機器の情報表示システムは、複数配列され、負荷名板と計測装置とから構成されるとともに無線通信部を有する計測ユニットと、端末表示部と端末
操作部を有すると共に端末無線通信部を有する無線通信端末手段と、前記計測装置に設けられた操作ボタンとを備え、対象とする前記計測装置の前記操作ボタンの指令により前記計測装置の情報を前記計測装置の前記無線通信部から前記無線通信端末手段の前記端末無線通信部に無線通信し前記無線通信端末手段の前記端末表示部に表示するものである。
【発明の効果】
【００１０】
この発明に係わる盤用機器の情報表示システムによれば、対象となる計測ユニットの計測装置の詳細情報を確認することができる盤用機器の情報表示システムを得ることができる。
【図面の簡単な説明】
【００１１】
【図１】この発明の実施の形態１に係わる盤用機器の情報表示システムにおけるコントロールセンタを示す平面図である。
【図２】この発明の実施の形態１に係わる盤用機器の情報表示システムを示す斜視図である。
【図３】この発明の実施の形態１に係わる盤用機器の情報表示システムを示す要部斜視図である。
【図４】この発明の実施の形態1に係わる盤用機器の情報表示システムにおける無線通信端末手段を示す斜視図である。
【図５】この発明の実施の形態1に係わる盤用機器の情報表示システムにおける無線通信端末手段を示す斜視図である。
【図６】この発明の実施の形態1に係わる盤用機器の情報表示システムにおける無線通信端末手段を示す斜視図である。
【図７】この発明の実施の形態1に係わる盤用機器の情報表示システムにおける無線通信端末手段を示す斜視図である。
【図８】この発明の実施の形態1に係わる盤用機器の情報表示システムにおける計測装置を示す正面図である。
【図９】この発明の実施の形態２に係わる盤用機器の情報表示システムを示す要部斜視図である。
【図１０】この発明の実施の形態３に係わる盤用機器の情報表示システムを示す要部斜視図である。
【図１１】この発明の実施の形態４に係わる盤用機器の情報表示システムを示す正面図である。
【図１２】この発明の実施の形態５に係わる盤用機器の情報表示システムを示す正面図である。
【発明を実施するための形態】
【００１２】
実施の形態１．
以下、この発明の実施の形態１を図１から図８に基づいて説明するが、各図において、同一、または相当部材、部位については同一符号を付して説明する。図１はこの発明の実施の形態１に係わる盤用機器の情報表示システムにおけるコントロールセンタを示す平面図である。図２はこの発明の実施の形態１に係わる盤用機器の情報表示システムを示す斜視図である。図３はこの発明の実施の形態１に係わる盤用機器の情報表示システムを示す要部斜視図である。図４はこの発明の実施の形態1に係わる盤用機器の情報表示システムにおける無線通信端末手段を示す斜視図である。図５はこの発明の実施の形態1に係わる盤用機器の情報表示システムにおける無線通信端末手段を示す斜視図である。図６はこの発明の実施の形態1に係わる盤用機器の情報表示システムにおける無線通信端末手段を示
す斜視図である。図７はこの発明の実施の形態1に係わる盤用機器の情報表示システムにおける無線通信端末手段を示す斜視図である。図８はこの発明の実施の形態1に係わる盤用機器の情報表示システムにおける計測装置を示す正面図である。
【００１３】
図１は、コントロールセンタ１００が電気室２００に配置された場合を示し、図２は盤用機器の情報表示システムを示している。コントロールセンタ１００は、負荷名板と計測装置とから構成されるとともに無線通信部を有する計測ユニットが例えば６段配置してユニット化されて1つの盤となり、そして例えば５列で並んで一つの列盤が構成され、これら列盤が複数配列されている。すなわち、図は一例として、列盤Ａから列盤Ｍまで配置された場合を示している。電気室２００に配置されたコントロールセンタ１００の点検、保守に際してはドア２０１を開けて入室して行われる。
【００１４】
例えば、列盤Ｄは、負荷名板１と計測装置２とから構成されるとともに無線通信部３を有する計測ユニット４が例えば計測ユニット４ａから計測ユニット４ｆの６段配置してユニット化されて1つの盤となり、そして、これらの盤が例えば盤Ｄ１から盤Ｄ５の５列で並んで一つの列盤Ｄが構成されている。その他の列盤Ａから列盤Ｃ、列盤Ｅから列盤Ｍも例えば同様に負荷名板１と計測装置２とから構成されるとともに無線通信部３を有する計測ユニット４が例えば６段配置してユニット化されて1つの盤となり、そして、これらの盤が例えば５列で並んで一つの列盤がそれぞれ構成されている。
【００１５】
電気室２００にこれら列盤Ａから列盤Ｍが複数配列されたコントロールセンタ１００において、保守員は毎日、各計測ユニット４に配置された各計測装置２の計測値や運転状態に異常がないことを順次巡回しながら確認する。計測ユニット４に配置された計測装置２の計測値や運転状態に異常が発生していることを保守員が確認した場合、例えば、図２において、列盤Ｄの盤Ｄ１の上から２段目の計測ユニット４ｂに異常が発生している場合、保守員はその点検、保守の対象となる計測ユニット４ｂの計測装置２がどこの何の負荷（設備）用なのか、対象となる計測ユニット４ｂの計測装置２の詳細情報を確認する必要がある。
【００１６】
この実施の形態１においては、保守員が持っている例えばタブレット端末から構成される無線通信端末手段５により、対象となる計測ユニット４ｂの負荷名板１の名称を無線通信端末手段５の端末操作部６により入力して端末無線通信部８から対象となる計測ユニット４ｂの例えば計測装置２に設けられた無線通信部３に無線通信する。
【００１７】
無線通信端末手段５の端末無線通信部８から無線通信部３に無線通信により受信した対象となる計測ユニット４ｂの負荷名板１の名称は図示しない管理データベースに送信され、管理データベースから対象となる計測ユニット４ｂの計測装置２の詳細情報が無線通信部３から無線通信端末手段５の端末無線通信部８に無線通信される。
【００１８】
無線通信部３から無線通信端末手段５の端末無線通信部８に無線通信により受信した対象となる計測ユニット４ｂの計測装置２の詳細情報が無線通信端末手段５の端末表示部７に表示される。
【００１９】
無線通信端末手段５の端末表示部７への表示画面は、図４に示すように、図１に示すようなコントロールセンタ１００の列盤配置が表示されるとともに、点検、保守の対象となる例えば列盤Ｄの盤Ｄ１が特定される。そして、図５に示すように、列盤Ｄの盤Ｄ１から盤Ｄ５が表示されるとともに、点検、保守の対象となる例えば盤Ｄ１の計測ユニット４ｂが特定される。
【００２０】
盤Ｄ１の計測ユニット４ｂが特定されると、図６に示すように、無線通信端末手段５の端末表示部７に計測ユニット４ｂの計測装置２の計測装置情報９が表示される。この計測装置情報９は計測ユニット４ｂの計測装置２がどこの何の負荷（設備）用なのかを含む計測値、運転状態、運転履歴、トリップ履歴等の詳細情報であり、その計測装置情報９に基づいて、計測装置２の計測装置表示操作部２０の計測装置表示部２１を見ながら計測装置操作部２２を操作し、点検および保守を行う。また、過去の点検、保守のログ情報を見たい場合には、図７に示すように、無線通信端末手段５の端末表示部７に計測ユニット４ｂの計測装置２の過去の点検、保守の計測装置ログ情報１０を表示し、その過去の計測装置ログ情報１０との比較が簡単にでき，予防保守にも活用できる。
【００２１】
このように、この実施の形態１における盤用機器の情報表示システムによれば、対象となる計測ユニット４の計測装置２の詳細情報である計測装置情報９あるいは過去の点検、保守の計測装置ログ情報１０を確認することができ、初めて点検する機器であっても図面を参照する手間や図面の読解力の不足を補うことができ、保守員の負担を軽減することができる。また、保守員の日常の点検作業に要する時間を低減することができる。
【００２２】
ところで、計測装置２の計測装置表示操作部２０の計測装置表示部２１および計測装置操作部２２の一例について図８に基づいて説明する。計測装置２には例えば無線通信部３が設けられている。計測装置表示操作部２０の計測装置表示部２１は種々数値を表示する液晶ディスプレイ２３と、ＬＥＤ表示灯２４ａからＬＥＤ表示灯２４ｄが設けられている。例えば、ＬＥＤ表示灯２４ａはＯＮ、ＬＥＤ表示灯２４ｂはＯＦＦ、ＬＥＤ表示灯２４ｃはＦＡＵＬＴ、ＬＥＤ表示灯２４ｄはＥＲＲＯＲをそれぞれ表示するようになっている。
【００２３】
また、計測装置表示操作部２０の計測装置操作部２２は、例えば、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇが設けられている。
【００２４】
したがって、コントロールセンタ１００に複数配列された列盤Ａから列盤Ｍの各計測ユニット４に配置された各計測装置２の計測値や運転状態に異常がないことを順次巡回しながら確認していくと、例えば、ＬＥＤ表示灯２４ｄが点灯してＥＲＲＯＲを表示していることが一目瞭然でわかり、ＬＥＤ表示灯２４ｄが点灯している計測ユニット４の計測装置２の近傍に行く。そして、上述したように、無線通信端末手段５の端末無線通信部８からＬＥＤ表示灯２４ｄが点灯している計測ユニット４ｂの計測装置２に設けられた無線通信部３に無線通信することにより、管理データベースからＬＥＤ表示灯２４ｄが点灯している計測ユニット４ｂの計測装置２の詳細情報が無線通信部３から無線通信端末手段５の端末無線通信部８に無線通信され、ＬＥＤ表示灯２４ｄが点灯している計測ユニット４ｂの計測装置２の詳細情報を無線通信端末手段５の端末表示部７に表示させることができる。
【００２５】
そして、計測装置表示操作部２０の計測装置操作部２２に設けられた、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇなどを操作して、点検、保守を行うことができる。
【００２６】
実施の形態２．
この発明の実施の形態２を図９に基づいて説明する。図９はこの発明の実施の形態２に係わる盤用機器の情報表示システムを示す要部斜視図である。
【００２７】
上述した実施の形態１においては、対象となる計測ユニット４ｂの負荷名板１の名称を無線通信端末手段５の端末操作部６により入力して端末無線通信部８から対象となる計測ユニット４ｂの例えば計測装置２に設けられた無線通信部３に無線通信する場合について述べたが、この実施の形態２においては、対象となる計測ユニット４ｂの負荷名板１を無線通信端末手段５に設けたカメラなどの撮像装置（図示せず）により撮像してその撮像データを端末無線通信部８から対象となる計測ユニット４ｂの例えば計測装置２に設けられた無線通信部３に無線通信する。
負荷名板１の文字は日本語に限らずどこの国の言語でもよい。文字のサイズ、フォントは、特定サイズ、フォントでもよいし、特定されないサイズ、フォントでもよい。
負荷名板１は、文字でもコードでもＲＦタグでもよい。
また、貼り付け位置は、盤面でも、計測装置２でも、どこでもよい。
【００２８】
無線通信端末手段５の端末無線通信部８から無線通信部３に無線通信により受信した対象となる計測ユニット４ｂの負荷名板１の撮像データは図示しない管理データベースに送信されて画像解析され、管理データベースから対象となる計測ユニット４ｂの計測装置２の詳細情報が無線通信部３から無線通信端末手段５の端末無線通信部８に無線通信され、無線通信部３から無線通信端末手段５の端末無線通信部８に無線通信により受信した対象となる計測ユニット４ｂの計測装置２の詳細情報が無線通信端末手段５の端末表示部７に表示される。
実施の形態２の変形例として、負荷名板１の名称を計測装置２の内部でデータとして記憶できるようにすれば、負荷名板は必要なくなる。
【００２９】
この実施の形態２によれば、対象となる計測ユニット４ｂの負荷名板１を無線通信端末手段５に設けたカメラなどの撮像装置（図示せず）により撮像して無線通信するだけでよく、上述した実施の形態１のように負荷名板１の名称を入力する必要が無く簡単に無線通信することができる。
【００３０】
実施の形態３．
この発明の実施の形態３を図１０に基づいて説明する。図１０はこの発明の実施の形態３に係わる盤用機器の情報表示システムを示す要部斜視図である。
【００３１】
上述した実施の形態２においては、対象となる計測ユニット４ｂの負荷名板１を無線通信端末手段５に設けたカメラなどの撮像装置（図示せず）により撮像してその撮像データを端末無線通信部８から対象となる計測ユニット４ｂの例えば計測装置２に設けられた無線通信部３に無線通信する場合について述べたが、この実施の形態３においては、負荷名板１を特定する情報コード１１（バーコード、二次元コード、三次元コードなど情報を識別できるコードであれば何でもよい）を設け、対象となる計測ユニット４ｂの情報コード１１を無線通信端末手段５に設けたカメラなどの撮像装置（図示せず）により撮像してその撮像データを端末無線通信部８から対象となる計測ユニット４ｂの例えば計測装置２に設けられた無線通信部３に無線通信する。
【００３２】
無線通信端末手段５の端末無線通信部８から無線通信部３に無線通信により受信した対象となる計測ユニット４ｂの情報コード１１の撮像データは図示しない管理データベースに送信されて画像解析され、管理データベースから対象となる計測ユニット４ｂの計測装置２の詳細情報が無線通信部３から無線通信端末手段５の端末無線通信部８に無線通信され、無線通信部３から無線通信端末手段５の端末無線通信部８に無線通信により受信した対象となる計測ユニット４ｂの計測装置２の詳細情報が無線通信端末手段５の端末表示部７に表示される。
【００３３】
この実施の形態３によれば、対象となる計測ユニット４ｂの情報コード１１を無線通信端末手段５に設けたカメラなどの撮像装置（図示せず）により撮像して無線通信するだけでよく、上述した実施の形態２と同様の効果を奏する。
【００３４】
実施の形態４．
この発明の実施の形態４を図１１に基づいて説明する。図１１はこの発明の実施の形態４に係わる盤用機器の情報表示システムを示す正面図である。
【００３５】
この実施の形態４においては、各計測ユニット４の各計測装置２に各計測装置２を特定するＲＦタグ３０（メモリ内臓で非接触にて読み出し、書き込み、または、読み出しのみ可能なものであればよい）を設け、無線通信端末手段５により対象となる計測ユニット４ｂの計測装置２のＲＦタグ３０を読み取り、読み取ったＲＦタグ３０を端末無線通信部８から対象となる計測ユニット４ｂの計測装置２に設けられた無線通信部３に無線通信する。
【００３６】
無線通信端末手段５の端末無線通信部８から無線通信部３に無線通信により受信した対象となる計測ユニット４ｂの計測装置２のＲＦタグ３０は図示しない管理データベースに送信されて解析され、管理データベースから対象となる計測ユニット４ｂの計測装置２の詳細情報が無線通信部３から無線通信端末手段５の端末無線通信部８に無線通信され、無線通信部３から無線通信端末手段５の端末無線通信部８に無線通信により受信した対象となる計測ユニット４ｂの計測装置２の詳細情報が無線通信端末手段５の端末表示部７に表示される。
【００３７】
この実施の形態４によれば、対象となる計測ユニット４ｂの計測装置２のＲＦタグ３０を無線通信端末手段５により読み取り無線通信するだけでよく、上述した実施の形態２および実施の形態３と同様の効果を奏する。
【００３８】
実施の形態５．
この発明の実施の形態５を図１２に基づいて説明する。図１２はこの発明の実施の形態５に係わる盤用機器の情報表示システムを示す正面図である。
【００３９】
この実施の形態５においては、各計測ユニット４の各計測装置２に操作ボタン３１を設けている。対象となる計測ユニット４の計測装置２の操作ボタン３１を押して指令を出すことにより対象となる計測ユニット４の計測装置２の情報を対象となる計測ユニット４の計測装置２の無線通信部３から無線通信端末手段５の端末無線通信部８に無線通信し無線通信端末手段５の端末表示部７に表示する。
【００４０】
この実施の形態５によれば、対象となる計測ユニット４ｂの計測装置２の操作ボタン３１を押して指令を出すことにより対象となる計測ユニット４の計測装置２の情報を無線通信端末手段５の端末表示部７に表示することができるので、保守員の日常の点検作業に要する時間を低減することができるとともに、初めて点検する機器であっても計測装置の詳細情報の確認ができ、図面を参照する手間や図面の読解力の不足を補うことができ、保守員の負担を軽減することができる。
【００４１】
なお、この発明は、その発明の範囲内において、実施の形態を自由に組み合わせたり、実施の形態を適宜、変形、省略することが可能である。
【産業上の利用可能性】
【００４２】
この発明は、対象となる計測ユニットの計測装置の詳細情報を確認することができる盤用機器の情報表示システムの実現に好適である。
【符号の説明】
【００４３】
１  負荷名板、２  計測装置、３  無線通信部、４  計測ユニット、５  無線通信端末手段、６  端末操作部、７  端末表示部、８  端末無線通信部、９  計測装置情報、１０  計測装置ログ情報、１１  情報コード、３０  ＲＦタグ、３１  操作ボタン。
【図１】
2015232798.tif 000003
【図２】
2015232798.tif 000004
【図３】
2015232798.tif 000005
【図４】
2015232798.tif 000006
【図５】
2015232798.tif 000007
【図６】
2015232798.tif 000008
【図７】
2015232798.tif 000009
【図８】
2015232798.tif 000010
【図９】
2015232798.tif 000011
【図１０】
2015232798.tif 000012
【図１１】
2015232798.tif 000013
【図１２】
2015232798.tif 000014